(57)【要約】  【課題】  本考案は、軽量で設置及び収納が容易であるという従来の特長を保持しつつ、十分な強度を得ることができる平面長方形の屋根を有する折り畳み式テントを提供せんとするものである。  【解決手段】  少なくとも、長辺と短辺からなる平面長方形の枠状に形成した辺部フレームを備える屋根の支持構造において、前記辺部フレームのそれぞれの四隅上部から屋根の中央部に向かって伸延する屋根支持フレームを形成し、該隣接する２辺の屋根支持フレームの先端同士を互いに連結すると共に、該連結された２辺の屋根支持フレームと互いに対向する２辺の屋根支持フレームとを非連結としたことを特徴とする。  【選択図】図１
0003115797.tif 000002
【実用新案登録請求の範囲】
【請求項１】
少なくとも、長辺と短辺からなる平面長方形の枠状に形成した辺部フレームを備える屋根の支持構造において、前記辺部フレームのそれぞれの四隅上部から屋根の中央部に向かって伸延する屋根支持フレームを形成し、該隣接する２辺の屋根支持フレームの先端同士を互いに連結すると共に、該連結された２辺の屋根支持フレームと互いに対向する２辺の屋根支持フレームとを非連結としたことを特徴とするテント。
【請求項２】
先端同士が連結される屋根支持フレームが、短辺側において隣接する屋根フレームであることを特徴とする請求項１記載のテント。
【請求項３】
辺部フレームが、２つの一字形フレームを互いに重ねて交差させ、その交差点をピン留めして回動自在にしてはさみ形体とした少なくとも１つのＸ字形フレームからなり、パンタグラフ状に折り畳み自在に構成されることを特徴とする請求項１又は２記載のテント。
【請求項４】
枠状に配設された辺部フレームのなす平面長方形の少なくとも四隅位置にそれぞれ１本の支柱が立設され、前記辺部フレーム及び屋根支持フレームを支持するように構成されることを特徴とする請求項１乃至３のいずれかに記載のテント。
【請求項５】
辺部フレームのそれぞれの上端部が、それぞれに対応する位置に立設される支柱の上部の連結体と取り付けられ、下端部がそれぞれに対応する位置に立設される支柱に摺動自在に取り付けられるスライドブラケットに枢着され、スライドブラケットの上下動に連動して辺部フレームが屈伸して水平方向に伸縮することができるように構成されることを特徴とする請求項１乃至４のいずれかに記載のテント。
【請求項６】
連結体がブラケット構造を有することを特徴とする請求項１乃至５のいずれかに記載のテント。
【請求項７】
屋根支持フレームと辺部フレームによって、屋根幕が展張されて屋根をなすように構成され、該屋根幕の頂部は屋根支持フレームによる支持が存在しておらないことを特徴とする請求項１乃至６のいずれかに記載のテント。
【考案の詳細な説明】
【技術分野】
【０００１】
屋根が複数本の支柱によって支持される構造を有するテントに関する。
【背景技術】
【０００２】
天蓋やタープとも呼ばれる屋根が複数本の支柱によって支持される構造を有するテントは、最近では折り畳み式フレームのものが主流をなし、中でもワンタッチで簡単に設置・収納作業を行える方式のものが売れ筋である。このような折り畳み式テントの代表例として、例えば特許第２６２５２５５号公報（特許文献１）に記載の技術が挙げられる。かかる折り畳み式テントは、平面方形状の四隅に立設される４本の支柱と、この各辺部分をなすよう各支柱間に架設されるはさみ形体のＸ字形フレームからなる周辺トラス手段と、各辺部分をなす該周辺トラス手段のほぼ中央部分から前記平面方形状内の中央部に向かって架設される屋根支持トラス手段と、前記中心位置に鉛直上向きに立設される屋根支持ポールとからなる骨組構造を有し、この骨組構造に適当に展張される屋根幕を備えて構成され、展張設置及び折り畳み収納を自在に行なうことができるようになっている。
【０００３】
しかしながら、かかる折り畳み式テントは、部品点数が多く、支柱に摺動自在に取り付けられるスライドブラケットに大きな荷重がかかるため、展開操作がし難いという問題があった。このような問題を解決するために、当該発明の発明者等によって以前に採られた手段が、特許第３５３７０３７号公報（特許文献２）に開示されている。この折り畳み式テントは、平面方形状の四隅に立設される４本の支柱と、この各辺部分をなすよう各支柱間に架設されるはさみ形体のＸ字形フレームからなる周辺トラス手段とを有する点、上記特許文献１の折り畳み式テントと同様の構成を有するが、各辺部分をなす周辺トラス手段の中点位置から平面方形状内の適当な中央部に向かって架設される屋根支持トラス手段は用いられず、各支柱から平面方形状内の中央部に向かって上昇する傾斜状に架設される屋根支持手段を有し、該屋根支持手段を屋根の中央部に集中させず途中で終端させてフリーな状態とするように構成され、特許文献１に見られるような折り畳み式テントの問題点を解決している。
【０００４】
ところが、特許文献２の技術を応用してなる平面長方形の屋根を有する折り畳み式テントの場合、支柱間の距離が遠すぎ、終端がフリーな状態のため強度が不十分となるという問題が生じていた。
【０００５】
【特許文献１】特許第２６２５２５５号公報
【特許文献２】特許第３５３７０３７号公報
【考案の開示】
【考案が解決しようとする課題】
【０００６】
本考案は、上記問題点に鑑みてなされたものであり、軽量で設置及び収納が容易であるという従来の特長を保持しつつ、十分な強度を得ることができる平面長方形の屋根を有する折り畳み式テントを提供せんとするものである。
【課題を解決するための手段】
【０００７】
上記課題を解決するためにこの考案が採った手段は、少なくとも、長辺と短辺からなる平面長方形の枠状に形成した辺部フレームを備える屋根の支持構造において、前記辺部フレームのそれぞれの四隅上部から屋根の中央部に向かって伸延する屋根支持フレームを形成し、該隣接する２辺の屋根支持フレームの先端同士を互いに連結すると共に、該連結された２辺の屋根支持フレームと互いに対向する２辺の屋根支持フレームとを非連結としたことを特徴とし、好ましくは先端同士が連結される屋根支持フレームが、短辺側において隣接する屋根フレームであることを特徴とする。
【０００８】
また、辺部フレームが、２つの一字形フレームを互いに重ねて交差させ、その交差点をピン留めして回動自在にしてはさみ形体とした少なくとも１つのＸ字形フレームからなり、パンタグラフ状に折り畳み自在に構成されることを特徴とする。
【０００９】
また、枠状に配設された辺部フレームのなす平面長方形の少なくとも四隅位置にそれぞれ１本の支柱が立設され、前記辺部フレーム及び屋根支持フレームを支持するように構成されることを特徴とする。
【００１０】
また、辺部フレームのそれぞれの上端部が、それぞれに対応する位置に立設される支柱の上部の連結体と取り付けられ、下端部がそれぞれに対応する位置に立設される支柱に摺動自在に取り付けられるスライドブラケットに枢着され、スライドブラケットの上下動に連動して辺部フレームが屈伸して水平方向に伸縮することができるように構成されることを特徴とする。
【００１１】
また、連結体がブラケット構造を有することを特徴とする。
【００１２】
また、上記構成の屋根構造を備えたテントは、屋根支持フレームと辺部フレームによって、屋根幕が展張されて屋根をなすように構成されることを特徴とする。
【考案の効果】
【００１３】
本考案によれば、短辺の辺部フレームから三角形状の屋根支持フレームを形成したことにより、屋根構造の部材数を大幅に削減した状態においても、十分な強度を持つ折り畳み式テントを得ることができる。また、屋根支持フレームの先端同士が互いに連結されていることにより、屋根の頂点部が面状でなく線状となるため、屋根幕に雨水等が溜まってしまうことを防止することができるという効果がある。更に、折り畳み構造のテントとしていることから、軽量で設置及び収納が容易である。
【考案を実施するための最良の形態】
【００１４】
以下、この考案の好ましい実施の形態を図を参照しながら説明する。図１乃至３に示すように当該考案の屋根構造を有する折り畳み式のテント(１)は、平面長方形の四隅位置に立設される４本の支柱(２)と、この辺部分をなすように前記支柱(２)間に架設される長辺と短辺からなる辺部フレーム(3a)(3b)と、前記４本の支柱(２)それぞれの上部から屋根の中央部に向かって伸延し、先端同士が連結される屋根支持フレーム(４)と、この屋根支持フレーム(４)によって展張される屋根幕(５)とから構成される。
【００１５】
図示の実施態様の支柱(２)は、それぞれ鉛直に立設される１本の棒状のものであるが、勿論これに限らず、複数の長手の部材を互いに連結して１本の棒状にし得る折り畳み式のものや太さの異なる複数のパイプを互いに差し込んで連結し伸縮自在に構成されるものを用いてもよい。また、支柱(２)は、少なくとも平面長方形の四隅位置に配設されていればよく、その他、辺部分やそれ以外の位置に配設してもよい。
【００１６】
辺部フレーム(3a)(3b)は、２本の一字形フレーム(６)を互いに重ねて交差させ、その交差点部をピン留めして回動自在にしてなる少なくとも１つのＸ字形フレーム(７)から構成される。図示の実施態様の長辺の辺部フレーム(3a)は、該Ｘ字形フレーム(７)が横方向に３つそれぞれが回動自在となるように連結されてなり、短辺の辺部フレーム(3b)は該Ｘ字形フレーム(７)が横方向に２つ連結されてなっている。
【００１７】
このように構成されるそれぞれの辺部フレーム(3a)(3b)は、図３、図４に見られる通り、その両端の上端部がそれぞれの支柱(２)の上端に固定される連結体(８)に回動可能に取り付けられ、下端部がそれぞれ支柱(２)に摺動自在に取り付けられたスライドブラケット(９)に回動可能に取り付けられ、スライドブラケット(９)の支柱(２)に沿った上下動に連動して、パンタグラフ状に屈伸して水平方向に伸縮でき折り畳み自在に構成されている。
【００１８】
ここで支柱(２)の上部の連結体(８)は、それぞれの辺部フレーム(3a)(3b)の上端部と屋根支持フレーム(４)とを連結するための部材であり、支柱(２)の先端部又は先端部近くに設けられる。連結体(８)の構造としては、それぞれの辺部フレーム(3a)(3b)の上端部と屋根支持フレーム(４)とを連結体(８)を介して連結できるものであれば、どのようなものでもよく、別部材で作って支柱(２)に取り付けても、支柱(２)と一体の構造としてもよい。連結体(８)を別部材で作った例としては、ブラケット構造のものが好ましく、図１から図５では、ブラケット構造の連結体(８)を支柱(２)の上端部に取り付けた例を示している。支柱(２)と一体の構造にしたものとしては、蝶番部材、フック部材などを利用することができる(図示せず)。
【００１９】
また、スライドブラケット(９)は、それぞれの辺部フレーム(3a)(3b)の下端部と補助フレーム(10)に結びついて、スライドさせながら屋根幕(５)の張りを調節するものである。図１から図５の例では、１つのスライドブラケット(９)を使って、屋根幕(５)の調整を行っているが、２つ以上のスライドブラケット(９)を使って、屋根幕(５)と辺部フレーム(3a)(3b)の調整を行ってもよい。
【００２０】
図４は、屋根支持フレーム(４)を展張した状態における連結体(８)とスライドブラケット(９)近辺の拡大図である。ここで屋根支持フレーム(４)は、それぞれ支柱(２)の上端の連結体(８)に、屋根の中央部に向けて回動可能に取り付けられている。また、屋根支持フレーム(４)は、その適当な箇所に、一端がスライドブラケット(９)に回動可能に取り付けられる補助フレーム(10)の他端が回動可能に連結され、展張して設置する際には、屋根支持フレーム(４)が補助フレーム(10)によって下方から押し上げられて所定位置に保持されるようになっている。収納時には、スライドブラケット(９)の降下に伴って、補助フレーム(10)が降下して屋根支持フレーム(４)を引き下げ、支柱(２)とほぼ並行をなすように構成されている。
【００２１】
屋根幕(５)は、耐候性と防水性を有する生地からなり、上記屋根支持フレーム(４)と辺部フレーム(3a)(3b)とが形成する空間領域に覆い被さるように形成され、該屋根支持フレーム(４)と辺部フレーム(3a)(3b)とによって張設されるように構成される。
【図面の簡単な説明】
【００２２】
【図１】当該考案の屋根構造を有するテントの斜視図
【図２】同平面図
【図３】同正面図
【図４】屋根支持フレームを展張した状態の連結部近辺の拡大図
【図５】同折り畳んだ状態の側面図
【符号の説明】
【００２３】
１  当該考案の屋根構造を有する折り畳み式のテント
２  支柱
3a  長辺の辺部フレーム
3b  短辺の辺部フレーム
４  屋根支持フレーム
５  屋根幕
６  一字形フレーム
７  Ｘ字形フレーム
８  連結体
９  スライドブラケット
10  補助フレーム
【図１】
0003115797.tif 000003
【図２】
0003115797.tif 000004
【図３】
0003115797.tif 000005
【図４】
0003115797.tif 000006
【図５】
0003115797.tif 000007